(57)【要約】      （修正有） 【課題】手軽に製造することが可能であり、かつ奥行方向の豊かな表現を可能とするスノーグローブを提供する。【解決手段】透明でドーム状の容器本体２０と、内壁部によって充填室と隔てられており外部から外壁部、充填体及び前記内壁部を通して視認できる展示室３０を、第１内壁から第２内壁へ向かう方向に関して複数の区画に仕切る透明の仕切板３４と、展示室３０の第１区画に配置される第１展示物４１ａ、４１ｂと、展示室３０の第２区画に配置される第２展示物４２と、挿入口２４ａを閉じるように容器本体２０に取り付けられる底蓋５０と、を有する。【選択図】図２
0003199280.tif 000002
【実用新案登録請求の範囲】
【請求項１】
透明でドーム状の外壁部と、下方から見て略長方形の挿入口が形成されている底壁部と、前記挿入口の２つの長辺から上方に立ち上がる透明の第１内壁及び第２内壁並びに前記第１内壁と前記第２内壁の端部を互いに接続する接続壁を有する内壁部と、を有し、前記外壁部、前記底壁部及び前記内壁部に囲まれた充填室が、透明の液体及び当該液体の内部を浮遊できる浮遊体を含む充填体で充填されている容器本体と、
前記内壁部によって前記充填室と隔てられており外部から前記外壁部、前記充填体及び前記内壁部を通して視認できる展示室を、前記第１内壁から前記第２内壁へ向かう方向に関して複数の区画に仕切る透明の仕切板と、
前記展示室において前記仕切板と前記第１内壁との間に形成された第１区画に配置される第１展示物と、
前記展示室において前記仕切板と前記第２内壁との間に形成された第２区画に配置される第２展示物と、
前記挿入口を閉じるように前記容器本体に取り付けられる底蓋と、を有するスノーグローブ。
【請求項２】
２つの前記仕切板を有し、
前記第１区画は一方の前記仕切板と前記第１内壁との間に形成されており、
前記第２区画は他方の前記仕切板と前記第２内壁との間に形成されており、
前記展示室において２つの前記仕切板の間に形成された第３区画に配置される第３展示物をさらに有する請求項１に記載のスノーグローブ。
【請求項３】
第３展示物は、前記第１内壁から前記第２内壁へ向かって前記展示室を進む可視光を遮る平板状の不透明体であることを特徴とする請求項２に記載のスノーグローブ。
【請求項４】
前記第１内壁と前記第２内壁とは、前記外壁部の頂部を基準として対称に配置されており、
前記第１内壁と前記第２内壁は、上方へ向かって互いの間隔が狭くなるように傾斜しており、
前記外壁部と前記接続壁との間に形成される隙間は、前記第１内壁と前記第２内壁との前記間隔より狭く、
前記充填室は、前記第１内壁と前記外壁部の間に形成される第１充填部分と、前記第２内壁と前記外壁部の間に形成される第２充填部分と、前記接続壁と前記外壁部との前記隙間に形成されており、前記第１充填部分と前記第２充填部分とを接続する第３充填部分と、を有することを特徴とする請求項１から３までのいずれかに記載のスノーグローブ。
【考案の詳細な説明】
【技術分野】
【０００１】
本考案は、ドーム状の透明容器の内部に展示物を配置したスノーグローブに関する。
【背景技術】
【０００２】
スノーグローブは、液体と浮遊物が充填された透明容器の内部に、人形や模型等の展示物を配置してなるおもちゃの置物であり、容器を振って浮遊物を浮遊させることで、独特の動きのある表現を楽しむことができる。スノーグローブの起源に関しては、１９世紀初頭にペーパーウェイトの意匠として考案されたとする説があり、遅くとも２０世紀初頭にはヨーロッパ各地で観光みやげ等としてスノーグローブが製造・販売されており、現在でも多くのスノーグローブファンやコレクターが存在する。
【０００３】
近年、スノーグローブコレクターやファンの間で、オリジナルの展示物を使用したスノーグローブを作製してほしいという要望がある。また、大量生産ではなく、一品だけのオリジナルのスノーグローブを作製したいという要望もある。しかしながら、通常のスノーグローブは、展示物が直接液体に接触するため、耐水性のない展示物を用いることが難しく、また、展示物を配置した後に容器に液体を充填する必要があるため、製造が難しいという問題を有していた。
【０００４】
このような問題を解決する従来技術として、容器内に液体等を充填する充填室と、展示物を展示する展示室を分離して設けるスノーグローブが提案されている。
【先行技術文献】
【特許文献】
【０００５】
【特許文献１】実用新案登録第3171324号公報
【非特許文献】
【０００６】
【非特許文献１】特定非営利活動法人日本スノードーム協会監修「スノードーム  無限に広がる小宇宙」、株式会社学研教育出版発行、2010年4月20日
【考案の概要】
【考案が解決しようとする課題】
【０００７】
しかしながら、充填室と展示室を分離して設けるスノーグローブでは、分離しないタイプに比べて展示室が狭くなるため、特に奥行方向の表現が難しいという問題を有している。
【０００８】
本考案は、このような課題を解決するためになされたものであり、手軽に製造することが可能であり、かつ奥行方向の豊かな表現を可能とするスノーグローブを提供する。
【課題を解決するための手段】
【０００９】
前記課題を解決するために、本考案のスノーグローブは、透明でドーム状の外壁部と、下方から見て略長方形の挿入口が形成されている底壁部と、前記挿入口の２つの長辺から上方に立ち上がる透明の第１内壁及び第２内壁並びに前記第１内壁と前記第２内壁の端部を互いに接続する接続壁を有する内壁部と、を有し、前記外壁部、前記底壁部及び前記内壁部に囲まれた充填室が、透明の液体及び当該液体の内部を浮遊できる浮遊体を含む充填体で充填されている容器本体と、
前記内壁部によって前記充填室と隔てられており外部から前記外壁部、前記充填体及び前記内壁部を通して視認できる展示室を、前記第１内壁から前記第２内壁へ向かう方向に関して複数の区画に仕切る透明の仕切板と、
前記展示室において前記仕切板と前記第１内壁との間に形成された第１区画に配置される第１展示物と、
前記展示室において前記仕切板と前記第２内壁との間に形成された第２区画に配置される第２展示物と、
前記挿入口を閉じるように前記容器本体に取り付けられる底蓋と、を有する。
【００１０】
本考案に係るスノーグローブは、展示室に透明の仕切板を設けて展示室を第１区画と第２区画に分け、第１区画に第１展示物を配置し、第２区画に第２展示物を配置する。これにより、第１内壁側から展示物を見た場合、第１展示物からの反射光は仕切板を通過していないが、第２展示物からの反射光は仕切板を通過している。ドーム状の外壁部の内部にある充填室は、展示室の奥にある展示物ほど大きく拡大して見せる凸レンズとして機能するが、このような仕切板を配置することにより第２区画については拡大効果が弱められ、第２展示物が第１展示物より奥に配置されているという視覚効果を得ることができる。また、仕切板を透過しない反射光が一部存在することにより、第１内壁側から展示物を見た場合、第２展示物の方が第１展示物より若干暗く見え、これにより、第２展示物が第１展示物より奥に配置されているという視覚効果を得ることができる。また、仕切板が透明であるため、仕切板の両側に配置した展示物を一方側から見ることが可能であり、展示物同士の重なりを利用等することなどにより、多様な奥行方向の表現を行うことが可能である。
【００１１】
また、例えば、本考案に係るスノーグローブは、２つの前記仕切板を有し、
前記第１区画は一方の前記仕切板と前記第１内壁との間に形成されており、
前記第２区画は他方の前記仕切板と前記第２内壁との間に形成されており、
前記展示室において２つの前記仕切板の間に形成された第３区画に配置される第３展示物をさらに有してもよい。
【００１２】
２つの仕切板を有するスノーグローブは、３つの区画を用いて奥行方向の表現を行うことができるため、さらに多様な表現を行うことが可能である。
【００１３】
また、例えば、第３展示物は、前記第１内壁から前記第２内壁へ向かって前記展示室を進む可視光を遮る平板状の不透明体であってもよい。
【００１４】
中央に平板状の不透明体を配置して可視光を遮ることにより、このようなスノーグローブは、第１内壁側から展示室を見た場合と、第２内壁側から展示室を見た場合とで、全く異なる展示内容を表現することができる。また、不透明体の両側に仕切板が配置されるため、第１内壁側から見た展示内容と第２内壁側からみた展示内容の双方について、好適に奥行方向の表現を行うことができる。
【００１５】
また、例えば、前記第１内壁と前記第２内壁とは、前記外壁部の頂部を基準として対称に配置されていてもよく、
前記第１内壁と前記第２内壁は、上方へ向かって互いの間隔が狭くなるように傾斜していてもよく、
前記外壁部と前記接続壁との間に形成される隙間は、前記第１内壁と前記第２内壁との前記間隔より狭くてもよく、
前記充填室は、前記第１内壁と前記外壁部の間に形成される第１充填部分と、前記第２内壁と前記外壁部の間に形成される第２充填部分と、前記接続壁と前記外壁部との前記隙間に形成されており、前記第１充填部分と前記第２充填部分とを接続する第３充填部分と、を有してもよい。
【００１６】
このようなスノーグローブは、展示室が中央に配置されているため、充填室による展示物の拡大効果が第１内壁側からも第２内壁側からもほぼ同等であり、展示室を両側から好適に観察できる。また、第１内壁と第２内壁との間隔が上方へ向かって狭くなっているため、底蓋から展示物を浮かせた位置であっても、仕切板と内壁との間に展示物を挟んだ状態とすることにより、展示室の上方に容易に展示物を配置することができる。また、第１充填部分と第２充填部分とを接続する第３充填部分を設けることにより、充填室内の液体の移動を容易にして浮遊物が浮遊しやすくなる。その一方で、第３充填部分を形成する隙間を所定の間隔より小さくすることにより、浮遊物が第１充填部分と第２充填部分のうちいずれか一方に、過度に偏在することを防止できる。また、隙間を小さくすることにより展示室を広げることが可能であり、大きな展示物を配置することが可能である。
【図面の簡単な説明】
【００１７】
【図１】図１は、本考案の第１実施形態に係るスノーグローブの全体斜視図である。
【図２】図２は、図１に示すスノーグローブの分解斜視図である。
【図３】図３は、図１に示すスノーグローブに含まれる容器本体の底面図である。
【図４】図４は、図３に示す容器本体のＩＶ−ＩＶ線に沿う断面図である。
【図５】図５は、図３に示す容器本体のＶ−Ｖ線に沿う断面図である。
【図６】図６は、図１に示すスノーグローブのＶＩ−ＶＩ線に沿う断面図である。
【図７】図７は、本考案の第２実施形態に係るスノーグローブの全体斜視図である。
【図８】図８は、図７に示すスノーグローブの分解斜視図である。
【図９】図９は、図１に示すスノーグローブのＩＸ−ＩＸ線に沿う断面図である。
【図１０】は、変形例に係るスノーグローブにおける展示物と仕切板の配置を表す概念図である。
【考案を実施するための形態】
【００１８】
第１実施形態
図１は、本考案の第１実施形態に係るスノーグローブ１０の全体斜視図である。スノーグローブ１０は、ドーム状の容器本体２０と、有底筒状の底蓋５０とを有する。容器本体２０の内部には、液体等で充填されている充填室２１や、展示物４０が配置されている展示室３０が形成されている。底蓋５０は、容器本体２０の底部に取り付けられている。
【００１９】
図２は、スノーグローブ１０の分解斜視図である。底蓋５０は、容器本体２０から取り外すことが可能であり、底蓋５０を取り外すことにより、第１展示物４１及び第２展示物４２等を、容器本体２０の展示室３０から取り出すことが可能である。
【００２０】
図４及び図５は容器本体２０の断面図である。容器本体２０の底面図である図３に示すように、図４に示す断面は挿入口２４ａの短辺２４ａｃ、２４ａｂを二等分する断面であり、図５に示す断面は挿入口２４ａの長辺２４ａａ、２４ａｂを二等分する断面であり、２つの断面は互いに直交する関係にある。すなわち、図４は、容器本体２０を第３充填部分２１ｃに沿って切断し、第１充填部分２１ａを含む部分と第２充填部分２１ｂとを含む部分との２つの部分に容器本体２０を分離する断面による断面図である。これに対して、図５は、第１内壁２７から第２内壁２８へ向かう方向（図５参照）である奥行方向に沿う断面による断面図である。
【００２１】
図５に示すように、容器本体２０は、ドーム状の外壁部２２と、外壁部２２の下端に接続する底壁部２４と、底壁部２４からドーム状の外壁部２２に向かって立ち上がる内壁部２６とを有している。すなわち、容器本体２０の周壁は、外壁部２２と内壁部２６との二重構造となっており、外壁部２２、底壁部２４及び内壁部２６に囲まれた領域が充填室２１であり、充填室２１の内部に展示室３０が配置されている。展示室３０は、内壁部２６によって充填室２１から隔てられており、充填室２１及び内壁部２６によって上方及び側方を囲まれている。
【００２２】
図３に示すように、底壁部２４には略長方形の挿入口２４ａが形成されている。図５に示すように、展示室３０を囲む内壁部２６は、第１内壁２７と、第２内壁２８と、接続壁２９によって構成される。第１内壁２７は、挿入口２４ａの一方の長辺２４ａａから上方に立ち上がるように設けられており、第２内壁２８は、挿入口２４ａの他方の長辺２４ａｂから上方に立ち上がるように設けられている。第１内壁２７と第２内壁２８とは、展示室３０を挟んで互いに対向している。
【００２３】
接続壁２９は、第１内壁２７と第２内壁２８の端部同士を、互いに接続している。また、図４に示すように、接続壁２９は、挿入口２４ａの一方の短辺２４ａｃと、他方の短辺２４ａｄとを接続している。
【００２４】
図５に示すように、第１内壁２７と第２内壁２８とは、外壁部２２の頂部２２ａを基準として対称に配置されている。しかしながら、図５に示すように、第１内壁２７と第２内壁２８とは平行ではなく、挿入口２４ａから頂部２２ａへ向かう方向である上方へ向かって互いの間隔が狭くなるように傾斜している。すなわち、頂部２２ａに近い位置における第１内壁２７と第２内壁２８との間隔ｄ２は、挿入口２４ａ近傍における第１内壁２７と第２内壁２８との間隔ｄ１より狭くなっている。
【００２５】
充填室２１の内部には、透明の液体１２ａ及び液体の内部で浮遊できる浮遊体１２ｂを含む充填体が充填されている。充填体には、空気等の気体１２ｃが含まれていてもよい。透明の液体１２ａとしては特に限定されず、水等を用いることができるが特に限定されない。また、浮遊体１２ｂとしては、例えば浮遊した際に雪のように見える白色の小片等を採用できるが、浮遊体１２ｂの形状、大きさ及び色彩は特に限定されない。また、浮遊体１２ｂは、透明の液体１２ａ中を所定時間浮遊したのち沈降するものが好ましく、透明の液体１２ａより若干比重が重く、表面積が大きい形状のものを採用することができる。また、浮遊体１２ｂは固体に限定されず、透明の液体１２ａとは混ざり合わない他の液体であってもよい。
【００２６】
図５に示すように、充填室２１は、第１内壁２７と外壁部２２との間に形成される第１充填部分２１ａと、第２内壁２８と外壁部２２との間に形成される第２充填部分２１ｂと、接続壁２９と外壁部２２との隙間に形成される第３充填部分２１ｃとを有する。第３充填部分２１ｃは、第１充填部分２１ａと第２充填部分２１ｂとを接続しており、充填室２１内の充填体１２ａ、１２ｂ、１２ｃは、第３充填部分２１ｃを介して第１充填部分２１ａと第２充填部分２１ｂとの間を移動できる。
【００２７】
外壁部２２と接続壁２９との間に形成される隙間（第３充填部分２１ｃ）は特に限定されないが、例えば充填体のうち透明の液体１２ａは自由に移動できるが、浮遊体１２ｂは抵抗を受けてスムーズに通過できない程度の大きさであることが好ましい。本実施形態では、外壁部２２と接続壁２９との間に形成される隙間は、第１内壁２７と第２内壁２８との間隔より狭く、すなわち外壁部２２と接続壁２９との間に形成される隙間Ｌの平均値は、第１内壁２７と第２内壁２８との間隔ｄの平均値より小さい。
【００２８】
容器本体２０の材質は、ガラス、樹脂等を採用することができ、例えば樹脂としてはポリプロピレン、ポリ塩化ビニル、ポリスチレン、ポリカーボネート等が挙げられるが、特に限定されない。また、容器本体２０のうち外壁部２２、第１内壁２７及び第２内壁２８は透明であるが、底壁部２４等は不透明であっても良い。また、外壁部２２、第１内壁２７及び第２内壁２８は、無色であることが好ましいが、透明であれば着色されていてもよい。
【００２９】
なお、本発明の説明において特定の部材が透明であるとは、その部材を隔てて反対側にある物体の形状等を認識可能であるという意味であり、特定の部材が視認できないということを意味せず、また、特定の部材の可視光透過率がほぼ１００％であるということまでは意味しない。例えば、表面が平滑であって可視光透過率（ＪＩＳ  Ｒ３１０６：１９９８）が２０％以上から１００％未満である部材は、標準的な室内の明るさ（７００ルクス程度）において、その部材を隔てて反対側にある物体の形状を認識でき、透明であるといえる。反対に、可視光透過率が５％以下であるか、または部材表面等で散乱・反射などが生じることにより、その部材を隔てて反対側にある物体の形状を認識できないような部材は、不透明であるといえる。
【００３０】
スノーグローブ１０の断面図である図６に示すように、展示室３０を取り囲む外壁部２２、充填室２１の内部に充填される液体１２ａ、第１内壁２７及び第２内壁２８は透明である。そのため、展示室３０及び展示室３０に配置される展示物４０（図１及び図２参照、図６では図示省略）は、スノーグローブ１０の外部から、これらの部分を通して視認できる。
【００３１】
展示室３０には、透明の仕切板３４が設けられている。仕切板３４は、展示室３０を、第１内壁２７から第２内壁２８へ向かう方向に関して複数の区画に仕切る。仕切板３４により、展示室３０は、仕切板３４と第１内壁２７との間に形成された第１区画３１と、仕切板３４と第２内壁２８との間に形成された第２区画３２とに仕切られている。
【００３２】
仕切板３４の厚さは、例えば０．０５〜２ｍｍ程度とすることができ、また、仕切板３４の面積は、図４に示す展示室３０の断面積の７０％から１００％とすることができるが、特に限定されない。仕切板３４の材質としては、例えば、ポリプロピレン、ポリエチレンテレフタレート、メタクリル樹脂等の樹脂や、またはガラス等を採用できるが、特に限定されない。
【００３３】
図２及び図６に示すように、図６に示す第１区画３１には、雪だるまの人形である第１展示物４１ａと、木をデザインしたシールである第１展示物４１ｂとが配置されており（図２参照）、図６に示す第２区画３２には、星をデザインしたシールである第２展示物４２が配置されている。図２に示す第１展示物４１ｂは、仕切板３４における第１内壁２７に対向する面（図２の紙面手前側）に張り付けられており、第２展示物４２は、仕切板３４における第２内壁２８に対向する面（図２の紙面奥側の面）に張り付けられている。
【００３４】
第１展示物４１ａ、４１ｂ及び第２展示物４２は、人形や模型のような立体物でもよく、写真やシールのような平面的なものであっても良い。また、第１展示物４１ａ、４１ｂ及び第２展示物４２は空気で満たされた展示室３０に配置されるため、充填室２１の液体１２ａとは接触しない。そのため、スノーグローブ１０では、プラスチック、陶器のような耐水性のある材質の展示物だけでなく、紙のような耐水性を有しない材質の展示物や耐水性の無いインクで着色した展示物等も採用することができる。
【００３５】
図２に示すように、スノーグローブ１０は、充填体１２を内部に充填した容器本体２０を準備し、容器本体２０の底部に形成された挿入口２４ａを介して仕切板３４、第１展示物４１ａ、４１ｂ及び第２展示物４２を展示室３０に挿入及び配置した後、挿入口２４ａを閉じるように容器本体２０に底蓋５０を取り付けることにより作製される。
【００３６】
図１に示すように、スノーグローブ１０は、その外部から、容器本体２０及び充填室２１内の透明の液体１２ａを通して、展示室３０に配置された第１展示物４１ａ、４１ｂ及び第２展示物４２を視認できる。ドーム状の容器本体２０及びその内部の液体１２ａは凸レンズの機能を果たし、第１展示物４１ａ、４１ｂ及び第２展示物４２を実際の大きさより大きく見せる視覚効果を生じる。しかし、その一方で、ドーム状の容器本体２０及びその内部の液体１２ａは、展示室３０の奥（第２内壁２８に近い側）にある展示物ほど大きく拡大する視覚効果を生じるため、奥行方向の幅が狭い展示室３０内に展示物を配置する都合上、単に展示物を前後に配置するだけでは奥行方向の表現が乏しいという問題がある。
【００３７】
しかしながら、スノーグローブ１０は、展示室に仕切板３４を設けているため、展示室３０の奥行方向の幅が狭いにもかかわらず、実際より広い奥行方向の幅を有する展示室を有するスノーグローブと同等レベルの奥行方向の表現を行うことができる。すなわち、空気より屈折率の高い仕切板３４を配置することにより、仕切板３４の奥側に配置される第２展示物４２については、上述した凸レンズのような視覚効果を弱めることができ、第２展示物４２が第１展示物４１ａ、４１ｂより奥に配置されているという視覚効果を得ることができる。
【００３８】
また、スノーグローブ１０では、仕切板３４を透過しない反射光が一部存在することにより、第１内壁２７側から展示物４０を見た場合、第２展示物４２の方が第１展示物４１ａ、４１ｂより若干暗く見え、これにより、第２展示物４２が第１展示物４１ａ、４１ｂより奥に配置されているという視覚効果を得ることができる。なお、このような効果を高めるために、仕切板３４の可視光透過率は６０％〜９０％とすることが好ましく、６５％から８０％とすることがさらに好ましい。
【００３９】
また、スノーグローブ１０は、透明の仕切板３４の手前側と奥側に配置した展示物４０を一方側から見ることが可能であり、また、仕切板３４を利用して展示物４０を様々な位置に固定できるため、豊かな表現を実現できる。また、図５及び図６に示すように、第１内壁２７と第２内壁２８との間隔ｄが上方へ向かって狭くなっているため、底蓋５０から展示物を浮かせた位置であっても、仕切板３４と第１又は第２内壁２７、２８との間に展示物を挟んだ状態とすることにより、展示室３０の上方近傍に容易に展示物を配置することができる。また、展示室３０の下方には、比較的厚みのある模型や人形の展示物を配置できる。
【００４０】
第２実施形態
図７は、第２実施形態に係るスノーグローブ１００の全体斜視図である。スノーグローブ１００は、２つの仕切板１３４ａ、１３４ｂを有しており、第３区画に配置された第３展示物を有する点で図１に示すスノーグローブ１０と相違するが、その他の点についてはスノーグローブ１０と同様である。したがって、スノーグローブ１００の説明においては、第１実施形態に係るスノーグローブ１０との相違点のみを説明し、共通点についてはスノーグローブ１０と同様の符号を付して説明を省略する。
【００４１】
図８は、図７に示すスノーグローブ１００の分解斜視図である。スノーグローブ１００は、２つの仕切板１３４ａ、１３４ｂを有しており、２つの仕切板１３４ａ、１３４ｂはいずれも容器本体２０の展示室１３０に配置される。
【００４２】
図７の断面図である図９に示すように、２つの仕切板１３４ａ、１３４ｂは、第１内壁２７から第２内壁２８へ向かう方向である奥行方向に沿って配列されている。一方の仕切板１３４ａは第１内壁２７に対向するように配置されており、仕切板１３４ａと第１内壁２７との間には第１区画１３１が形成されている。また、他方の仕切板１３４ｂは第２内壁２８に対向するように配置されており、仕切板１３４ｂと第２内壁２８との間には第２区画１３２が形成されている。
【００４３】
さらに、２つの仕切板１３４ａ、１３４ｂの間には第３区画１３３が形成されており、２つの仕切板１３４ａ、１３４ｂは、展示室１３０を仕切ることにより、展示室１３０に３つの区画１３１、１３２、１３３を形成している。なお、仕切板１３４ａの形状や材質等については、仕切板３４と同様である。なお、図９では、展示物４０は図示していない。
【００４４】
図７及び図９に示すように、図９に示す第１区画３１には、中央に配置される花の模型である第１展示物１４１が配置される。また、図９に示す第２区画３２には、図１に示すように第１内壁２７側から見て、第１展示物１４１の右側に配置される花のシールからなる第２展示物１４２が配置される。さらに、図９に示す第３区画１３３には、図１に示すように第１内壁２７側から見て、第１展示物１４１の左側に配置される花のシールからなる第３展示物１４３が配置される。なお、第２展示物１４２と第３展示物１４３は、それぞれ仕切板１３４ａ、１３４ｂにおける第２内壁２８側の面（第８の紙面奥側の面）に張り付けられている。
【００４５】
図１に示すスノーグローブ１００は、３つの区画１３１〜１３３を用いて奥行方向の表現を行うことができるため、さらに多様な表現を実現できる。なお、スノーグローブ１００は、スノーグローブ１０と同様に、展示物１４０及び仕切板１３４ａ、１３４ｂを容器本体２０の展示室１３０に配置することにより作製される。また、スノーグローブ１００は、第１実施形態に係るスノーグローブ１０と同様の効果を奏する。
【００４６】
以上のように、実施形態を挙げて本考案を説明したが、本考案はこれらの実施形態に限定されるものではなく、実施形態に変更を加えた多くの変更例についても、本考案の技術的範囲に含まれることは言うまでもない。例えば、スノーグローブは、３以上の仕切板を有していても良く、また、スノーグローブが複数の仕切板を有する場合、各仕切板の形状及び大きさは互いに異なっていてもよい。また、容器本体２０の第１内壁２７及び第２内壁２８の表面は、平面であってもよく、曲面であってもよい。
【００４７】
図１０は、図７に示すスノーグローブ１００の変形例に係るスノーグローブで採用される展示物とその配置を表す概念図である。変形例であるスノーグローブの展示物には、第１展示物１４１と、第２展示物１４２ａ、１４２ｂと、第３展示物１４３ａ、１４３ｂ、１４３ｃとが含まれる。第３展示物１４３ｂは、図９に示す第１内壁２７から第２内壁２８へ向かって展示室１３０を進む可視光を遮る平板状の不透明体である。
【００４８】
このような不透明体としては、例えば不透明なプラスチック製の板材や、印刷された写真、着色された紙片等を採用できるが、特に限定されない。また、例えば、２枚の写真を背中合わせに配置したものを第３展示物１４３ｂとしてもよい。なお、不透明体である第３展示物１４３ｂの面積は、展示室１３０の断面積の８０％から１００％とすることが可視光を遮る観点から好ましいが、特に限定されない。
【００４９】
第３展示物１４３ｂのような不透明体を配置して可視光を遮ることにより、このようなスノーグローブは、第１内壁２７側から展示室１３０を見た場合と、第２内壁２８側から展示室１３０を見た場合とで、全く異なる展示内容を表現することができる。不透明体の両側に仕切板１３４ａ、１３４ｂが配置されるため、第１内壁２７側から見た展示内容と第２内壁２８側からみた展示内容の双方について、好適に奥行方向の表現を行うことができる。
【符号の説明】
【００５０】
１０、１００…スノーグローブ
１２ａ…液体
１２ｂ…浮遊体
２０…容器本体
２１…充填室
２１ａ…第１充填部分
２１ｂ…第２充填部分
２１ｃ…第３充填部分
２２…外壁部
２４…底壁部
２４ａ…挿入口
２６…内壁部
２７…第１内壁
２８…第２内壁
２９…接続壁
２１…充填室
３０…展示室
３４…仕切板
３１、１３１…第１区画
３２、１３２…第２区画
１３３…第３区画
４１ａ、４１ｂ、１４１…第１展示物
４２、１４２…第２展示物
５０…底蓋
１４３…第３展示物
２１ａ…第１充填部分
２１ｂ…第２充填部分
２１ｃ…第３充填部分
【図１】
0003199280.tif 000003
【図２】
0003199280.tif 000004
【図３】
0003199280.tif 000005
【図４】
0003199280.tif 000006
【図５】
0003199280.tif 000007
【図６】
0003199280.tif 000008
【図７】
0003199280.tif 000009
【図８】
0003199280.tif 000010
【図９】
0003199280.tif 000011
【図１０】
0003199280.tif 000012